(57)【要約】【課題】  宝飾品のリフォームやオーダーメイドの際に、顧客が完成後の具体的イメージを把握しやすい宝飾品技術サンプルを提供することを目的とする。【解決手段】  宝飾品の地金に用いられる材質からなるプレートに、宝飾品に取り付ける複数の大きさのメレーをその大きさ順に配置したメレサイズ見本部と、宝飾品に取り付ける宝石の異なる形態の複数の支持構造を配置した支持構造見本部と、宝飾品の地金表面に施す異なる形態の表面加工を複数隣接配置した表面加工見本部と、を設けた宝飾品技術サンプルである。【選択図】  図１
2005230412.tif 000002
【特許請求の範囲】
【請求項１】
宝飾品の地金に用いられる材質からなるプレートに、
前記宝飾品に取り付ける複数の大きさのメレーをその大きさ順に配置したメレサイズ見本部と、
前記宝飾品に取り付ける宝石の異なる形態の複数の支持構造を配置した支持構造見本部と、
前記宝飾品の地金表面に施す異なる形態の表面加工を複数隣接配置した表面加工見本部と、
を設けたことを特徴とする宝飾品技術サンプル。
【請求項２】
前記支持構造見本部は、
前記宝飾品に取り付ける宝石の爪による複数の支持構造を配置した石留見本部と、
前記宝飾品の地金に穴を開けることにより宝石を留める複数の支持構造を配置した彫留見本部と、
からなることを特徴とする請求項１に記載の宝飾品技術サンプル。
【請求項３】
前記支持構造見本部は、更に、
前記宝飾品に取り付けるダイヤモンド又は丸い形状の宝石の爪による複数の支持構造を配置したダイヤシャトン見本部を、
有することを特徴とする請求項２に記載の宝飾品技術サンプル。
【請求項４】
前記表面加工見本部は、
前記宝飾品の地金表面の加工であって、鋳造技術として用いている加工による処理を施したワックス表現見本部と、
前記ワックス表現見本部以外の前記宝飾品の地金表面の加工による処理を施した表面表現見本部と、
からなることを特徴とする請求項１に記載の宝飾品技術サンプル。
【請求項５】
前記宝飾品技術サンプルは、
造形を施した造形部を更に有しており、
前記造形部と、前記メレサイズ見本部、前記支持構造見本部、前記表面加工見本部のいずれかとが一体化している、
ことを特徴とする請求項１に記載の宝飾品技術サンプル。
【請求項６】
前記石留見本部又は前記ダイヤシャトン見本部に於ける宝石が取り付けられた爪は、その下部に宝石側結合部を有しており、前記プレートには前記宝石側結合部と結合可能なサンプル側結合部を有している、
ことを特徴とする請求項２又は請求項３に記載の宝飾品技術サンプル。
【請求項７】
前記宝石側結合部は雄ねじ又は雌ねじからなり、前記サンプル側結合部は、前記宝石側結合と螺合可能な雌ねじ又は雄ねじとからなる、
ことを特徴とする請求項６に記載の宝飾品技術サンプル。
【請求項８】
前記宝石側結合部と前記サンプル側結合部には磁性体が備えられ、磁気により結合可能である、
ことを特徴とする請求項６に記載の宝飾品技術サンプル。
【発明の詳細な説明】
【技術分野】
【０００１】
本発明は、宝飾品のリフォームやオーダーメイドの際に、顧客が完成後の具体的イメージを把握しやすい宝飾品技術サンプルに関する。
【背景技術】
【０００２】
宝飾品のリフォームやオーダーメイドの際に、宝飾品店の従業員は、顧客に対して完成後の具体的イメージを提案しながら、営業活動を行っている。この具体的イメージの提案方法としては、
（１）キャスティング（鋳造）工法による量産型既成空枠を、現物又はカタログを用いてデザインの提案を行う（特許文献１）。
（２）デザイナーによるデザイン画を提示することで、デザインの提案を行う。
（３）インターネットによりデザイン画（画像ファイル）を提示することで、デザインの提案を行う（特許文献２）。
のいずれかの方法がとられている。
【０００３】
【特許文献１】特開平１１−２４６号公報
【特許文献２】特開２００２−２４６３３号公報
【発明の開示】
【発明が解決しようとする課題】
【０００４】
しかし上述のような方法をとった場合、（１）の方法では、あらゆるイメージを想定した現物やカタログを用意しておく必要があり、現物管理及びカタログ作成等に非常に手間がかかる。
【０００５】
又（２）や（３）の方法をとった場合、顧客は２次元のデザイン画から完成後のイメージを想像する必要があるのと共に、デザイン画や画像ファイルでは、宝飾品の質感を正確に表現することが困難である。又、宝飾品に具備される宝石の大きさや表面表現、宝石の留め方等を顧客が正確に把握していなければ、全体的なイメージのバランスが崩れ、完成した場合に、イメージと完成品とのギャップが発生する可能性がある。
【課題を解決するための手段】
【０００６】
そこで本願発明者等は、このような問題点を防ぐ為に、顧客が完成後の宝飾品の具体的イメージを容易に把握することが可能な、宝飾品技術サンプルを発明した。
【０００７】
請求項１の発明は、宝飾品の地金に用いられる材質からなるプレートに、前記宝飾品に取り付ける複数の大きさのメレーをその大きさ順に配置したメレサイズ見本部と、前記宝飾品に取り付ける宝石の異なる形態の複数の支持構造を配置した支持構造見本部と、前記宝飾品の地金表面に施す異なる形態の表面加工を複数隣接配置した表面加工見本部と、を設けた宝飾品技術サンプルである。
【０００８】
本発明のように、宝飾品の地金に用いられる材質からなるプレートに宝飾品のリフォームやオーダーメイドの際に必要となる複数の加工方法を配置しておくことによって、顧客は、各々の加工方法のイメージ、質感等を把握しやすくなる。
【０００９】
請求項２の発明は、前記支持構造見本部は、前記宝飾品に取り付ける宝石の爪による複数の支持構造を配置した石留見本部と、前記宝飾品の地金に穴を開けることにより宝石を留める複数の支持構造を配置した彫留見本部と、からなる宝飾品技術サンプルである。
【００１０】
請求項３の発明は、前記支持構造見本部は、更に、前記宝飾品に取り付けられるダイヤモンド又は丸い形状の宝石の爪による複数の支持構造を配置したダイヤシャトン見本部を、有する宝飾品技術サンプルである。
【００１１】
宝飾品の支持構造として、爪による宝石の支持構造、地金に穴を開け宝石を留める支持構造はその代表的なものである。従って、これらを宝飾品技術サンプルに設けると良い。
【００１２】
請求項４の発明は、前記表面加工見本部は、前記宝飾品の地金表面の加工であって、鋳造技術として用いている加工による処理を施したワックス表現見本部と、前記ワックス表現見本部以外の前記宝飾品の地金表面の加工による処理を施した表面表現見本部と、からなる宝飾品技術サンプルである。
【００１３】
地金の表面加工として、上述のワックス表現とそれ以外の表面表現は、宝飾品に於いて代表的な表面加工である。従って、これらを宝飾品技術サンプルに設けると良い。
【００１４】
請求項５の発明は、
前記宝飾品技術サンプルは、造形を施した造形部を更に有しており、前記造形部と、前記メレサイズ見本部、前記支持構造見本部、前記表面加工見本部のいずれかとが一体化している、宝飾品技術サンプルである。
【００１５】
単に各部位をプレート内に設けるのではなく、造形部を更に設け、その造形部と各部位とを組み合わせることによって、宝飾品技術サンプルを美術性があるものとして演出することが出来る。このようにすることで宝飾品技術サンプルの美術性が演出され、単に一覧として各部位を設けるよりも、顧客の購買意欲をそそることが出来る。
【００１６】
請求項６の発明は、
前記石留見本部又は前記ダイヤシャトン見本部に於ける宝石が取り付けられた爪は、その下部に宝石側結合部を有しており、前記プレートには前記宝石側結合部と結合可能なサンプル結合部を有している、宝飾品技術サンプルである。
【００１７】
本発明のように、宝石が取り付けられた爪を、宝飾品技術サンプルと取り外し可能にすることによって、様々な宝飾品技術サンプルをアレンジすることが出来、汎用性を高められる。
【００１８】
請求項７の発明は、
前記宝石側結合部は雄ねじ又は雌ねじからなり、前記サンプル側結合部は、前記宝石側結合と螺合可能な雌ねじ又は雄ねじとからなる、宝飾品技術サンプルである。
【００１９】
請求項８の発明は、
前記宝石側結合部と前記サンプル側結合部には磁性体が備えられ、磁気により結合可能である、宝飾品技術サンプルである。
【００２０】
上述の結合は、ねじや磁性体により行われると良い。
【発明の効果】
【００２１】
上述のような宝飾品技術サンプルによって、多数の現物管理やカタログ作成等を行わずとも良く、又、様々な宝石の大きさ、留め方、表面加工等が一目瞭然で比較できるので、顧客は具体的イメージを把握しやすく、イメージと完成品とのギャップも少なくなる。
【発明を実施するための最良の形態】
【００２２】
図１の本発明の宝飾品技術サンプル１を示す。宝飾品技術サンプル１は、一つのプレート２を有しており、その中に宝飾品のリフォームやオーダーメイドの際に必要な加工見本が配置されている。尚、本明細書に於いて宝飾品とは、宝石とその装飾、加工を施した物であり、宝石には真性品、模造品（イミテーション）の双方を含む。又、宝飾品は指輪、ペンダント、ブローチ、帯留め、イヤリング、ピアス、カフス、タイタック等の商品形態を含む。
【００２３】
宝飾品技術サンプル１は、宝飾品の地金に用いられる材質からなるプレート２上に、メレサイズ見本部３と、宝飾品に取り付ける宝石の複数の支持構造を配置した支持構造見本部と、宝飾品の地金表面に対する複数の表面加工を施した表面加工見本部とが設けられている。このプレートは、一枚の板状であっても良いし、形状枠との併用であっても良い。形状枠の場合、その形状枠又は内側にメレサイズ見本部３、支持構造見本部、表面加工見本部が設けられている。
【００２４】
支持構造見本部は、石留見本部４、彫留見本部５、ダイヤシャトン見本部６とを有しており、表面加工見本部は、表面表現見本部７、ワックス表現見本部８とを有している。
【００２５】
プレート２は、図１に示すように多角形であっても良いし、円形、楕円形等の他の形状であっても良い。このプレート２は、シルバー、ゴールド、プラチナ等の任意の材質（宝飾品の地金に使用される材質）により成型される。
【００２６】
メレサイズ見本部３とは、宝飾品に取り付けられるメレー（主に０．１８カラット以下の、小さなラウンドにカットされたダイヤモンド）の代表的な大きさを配置している部位である。例えば大きさとしては、１／１００カラット（０．０１カラット）３ａ、１／８０カラット（０．０１２カラット）３ｂ、１／７０カラット（０．０１４カラット）３ｃ、１／６０カラット（０．０１６カラット）３ｄ、１／５０カラット（０．０２カラット）３ｅ、１／４０カラット（０．０２５カラット）３ｆ、１／３０カラット（０．０３３カラット）３ｇ、１／２０カラット（０．０５カラット）３ｈ、１／１５カラット（０．０６６カラット）３ｉ、１／１０カラット（０．１カラット）３ｊのように、１／１０カラット刻みの大きさのメレーを配置してあると良い。
【００２７】
石留見本部４は、宝飾品に取り付ける宝石の爪による代表的な留め方（支持構造）を配置している部位である。例えば、ふくりん４ａ（宝石の円周上にある壁を石の中心部にタガネを使用し倒し込み固定する支持構造）、並爪４ｂ（枠に石を乗せ４本の爪を石に倒し込み固定する支持構造）、天地フクロ爪４ｃ（小判型などの石の上方と下方で、板状の爪をＵ字に倒し込み固定する支持構造）、左右フクロ爪４ｄ（小判型などの石の左方と右方で、板状の爪をＣ字に倒し込み固定する支持構造）、フクロ爪４ｅ（石の尖った部分を、Ｖ字やＵ字の板状の爪を包み込み固定する支持構造）、天地箱爪４ｆ（主に角型の石の上方と下方に板状の爪をコの字に倒し込み固定する支持構造）、左右箱爪４ｇ（主に角型の石の右方と左方に板状の爪をコの字に倒し込み固定する支持構造）等が配置されている。
【００２８】
彫留見本部５は、宝石を爪によって留めるのではなく、地金に造形を施し、そこに穴を空けることにより、その造形にあわせて宝石を留める留め方（支持構造）を配置している部位である。例えば、彫留５ａ（地金部分に止める石代の窪みを作りタガネを使用し２カ所から４カ所に爪を起こし固定する支持構造）、チョコ留５ｂ（すり鉢状に窪ませた部分に石を入れ込みタガネで爪を起こし固定する支持構造）、マス留５ｃ（彫留された四方をタガネを使用し石を囲むようにラインを入れる支持構造）、アワ留５ｄ（地金部分にタガネを使用し凹凸をつけ、その凹凸を利用して石を留める支持構造）、パヴェ留５ｅ（ダイヤメレなどをライン上又はランダムに石畳のように彫り、又は爪で留める支持構造）、縄留５ｆ（彫留加工後にタガネを使用し縄目上にラインを彫る支持構造）等が配置されている。
【００２９】
ダイヤシャトン見本部６は、爪による、ダイヤモンドや丸い形状の宝石の代表的な留め方（支持構造）を配置している部位である。例えば、６本爪６ａ（宝石を６本の爪で留める支持構造）、フラワー爪６ｂ（宝石を花びらのように爪で留める支持構造）、４本爪６ｃ（宝石を４本の爪で留める支持構造）、ミルククラウン６ｄ（宝石をミルククラウンのように爪で留める支持構造）、２本爪６ｅ（宝石を２本の爪で留める支持構造）、フセコミ６ｆ（石の円周状の壁をタガネやヘラを使用し、石を押しつけ固定する支持構造）、オーストラリア留６ｇ（地金部分に留める石より大きな窪みを作り石を沈み込ませ、その円周の縁をタガネを使用し固定し、更に丸く縁を整形する支持構造）等が配置されている。
【００３０】
表面表現見本部７は、宝飾品の地金表面の加工であって、後述するワックス表現以外の加工による処理を施した地金を配置している部位である。例えば鏡面加工７ａ（数種類の研磨剤を使用し、鏡面状に磨き上げる表面加工方法）、ホーニング７ｂ（別名、梨地加工と呼ばれ、微粒子を吹き付けて傷を付け、梨の表面のようにする表面加工方法）、スターダスト７ｃ（上下するダイヤポイントで地金部分に細かな凹凸をつけ、まばらに光らせる表面加工方法）、ダイヤポイント７ｄ（研磨機のハンドピースポイントを粉末ダイヤ入りのポイントに換え、地金部分に細かなキズを付け曇らせる表面加工方法）、ヘアライン７ｅ（別名、ジャーマン仕上げと呼ばれ、粗めの研磨剤で同方向に傷を付ける表面加工方法）、ミル打ち７ｆ（滑らかな地金表面をタガネで打ち付けた表面加工方法）等がある。
【００３１】
ワックス表現見本部８は、表面表現見本部７と同様に、宝飾品の地金表面の加工であって、鋳造技術として用いている加工による処理を施した地金を配置している部位である。例えばツチ目８ａ（丸タガネと小ハンマーを使用し、細かに打ち付け地金部分に凹凸をつける表面加工方法）、蜜蝋８ｂ（松ヤニと蝋などを混ぜ合わせ飴状に練り伸ばし、凹凸のあるライン柄をつけたものを鋳造（キャスト）する表面加工方法）、タガネ８ｃ（数種類のタガネを使用し、小ハンマーで細かに打ち付け、地金部分に凹凸をつける表面加工方法）等がある。
【００３２】
このように、宝飾品技術サンプル１のプレート２内に、適宜、メレサイズ見本部３、石留見本部４、彫留見本部５、ダイヤシャトン見本部６、表面表現見本部７、ワックス表現見本部８を配置（好適には隣接配置）することで、宝飾品のリフォームやオーダーメイドに必要な各種の加工を、顧客は一目瞭然に把握できる。尚、メレサイズ見本部３、石留見本部４、ダイヤシャトン見本部６に取り付ける宝石、メレーは模造品（イミテーション）であることが望ましいが、質感を向上させるために、真性品であってもよい。
【００３３】
更に、このような各部位を単にプレート２に設けるのではなく、図１に示すような造形部９（ここでは西洋の城）と適宜組み合わせることによって、宝飾品技術サンプル１を美術性があるものとして演出することが出来る。これによって、宝飾店の従業員が顧客に当該宝飾品のサンプルを見せる際にも、その美術性を演出することが出来、単に一覧として各部位を設けるよりも、その購買意欲をそそることが出来る。
【００３４】
造形部９は、図１に示すような西洋の城以外にも如何なるものであっても良い。図１の場合では、造形部９である西洋の城をデザインの中心として、ワックス表現見本部８を城まで続く道として表現しており、ダイヤシャトン見本部６をその道ばたで咲く花として表現しており、メレサイズ見本部３の一部を城から漏れる光、或いは星をイメージして表現している。そして、石留見本部４、彫留見本部５、表面表現見本部７を城を囲む枠で表現している。このような加工をすることによって、美術性を向上させている。
【００３５】
本発明の異なる実施態様として、更に、石留見本部４及びダイヤシャトン見本部６の一部又は全部を取り外し可能にしても良い。例えば宝飾品技術サンプル１の石留見本部４やダイヤシャトン見本部６にサンプル側結合部１１として雌ねじ（又は雄ねじ）を、当該宝石が取り付けられた爪の下部に宝石側結合部１２として雄ねじ（又は雌ねじ）を設けることによって、宝石を螺合させることが可能となる。これによって、宝石の取り外し、交換が可能となり、顧客の希望する宝石毎に、宝飾品技術サンプル１をアレンジすることが出来る。
【００３６】
宝飾品技術サンプル１から取り外した状態の宝石を図２に示し、宝石を取り外した状態の宝飾品技術サンプル１を図３に示す。
【００３７】
例えば、宝飾品技術サンプル１には、石留見本部４の宝石としてルビーの模造品が取り付けられているが、顧客の希望する宝石はサファイアであった場合、そのルビーが取り付けられた爪、例えば「ふくりん４ａ」を回すことによって、「ふくりん４ａ」によるルビーを外し、「ふくりん４ａ」によるサファイアを取り付けることが出来る。宝石を交換した場合の宝飾品技術サンプル１を図４に示す。
【００３８】
更に石留見本部４、ダイヤシャトン見本部６の各爪の下部に宝石側結合部１２として雄ねじ（又は雌ねじ）、宝飾品技術サンプル１のサンプル側結合部１１として雌ねじ（又は雄ねじ）を設ける代わりに、宝石側結合部１２とサンプル側結合部１１とに永久磁石を取り付け、その磁気により取り外し、交換可能としても良い。
【産業上の利用可能性】
【００３９】
上述に示した宝飾品技術サンプル１によって、多数の現物管理やカタログ作成等を行わずとも良く、又、様々な宝石の大きさ、留め方、表面加工等が一目瞭然で比較できるので、顧客は具体的イメージを把握しやすく、イメージと完成品とのギャップも少なくなる。
【図面の簡単な説明】
【００４０】
【図１】本発明の宝飾品技術サンプルの一例である。
【図２】取り外した状態の宝石の一例である。
【図３】宝石を取り外した状態の宝飾品技術サンプルの一例である。
【図４】宝石を交換した場合の宝飾品技術サンプルの一例である。
【符号の説明】
【００４１】
１：宝飾品技術サンプル
２：プレート
３：メレサイズ見本部
４：石留見本部
５：彫留見本部
６：ダイヤシャトン見本部
７：表面表現見本部
８：ワックス表現見本部
９：造形部
１１：サンプル側結合部
１２：宝石側結合部
【図１】
2005230412.tif 000003
【図２】
2005230412.tif 000004
【図３】
2005230412.tif 000005
【図４】
2005230412.tif 000006